(57)【特許請求の範囲】
【請求項１】
真空掃除機の吸引管に接続するための継手管部と、該継手管部の先端に設けられた吸入用ヘッド部とを有し、
上記ヘッド部が、毛を梳くための複数の櫛歯を備えた櫛手段と、梳き取った毛を吸い取るための吸込口と、櫛歯に付着した毛を掻き取るための、各櫛歯が挿通するスリットを有するスクレーパーとを備えていて、該スクレーパーが上記吸込口に近接する位置に固定的に設けられ、上記櫛手段が、各櫛歯がスリット内に挿入されて該櫛歯の先端が上記吸込口から突出する第１位置と、各櫛歯がスリット内を後退して該スリットから外れる第２位置との間を回動自在であると共に、上記第１位置において該櫛手段が上記スリットを塞ぐことにより上記吸込口からの吸引力の低下を防止するように構成されていることを特徴とする動物用ブラシ。
【請求項２】
請求項１に記載の動物用ブラシにおいて、上記ヘッド部が、上記櫛手段を第２位置方向に付勢する付勢手段と、第１位置に係止させる係脱自在の係止手段とを備えていることを特徴とする動物用ブラシ。
【請求項３】
請求項１又は２に記載の動物用ブラシにおいて、上記ヘッド部が、内部に上記継手管部に通じる中空部を有するボックス状をしていて、該ヘッド部の前面壁に上記吸込口が設けられると共に、後面壁における該吸込口と対応する位置に上記スクレーパーが設けられ、且つ該後面壁の背後に上記櫛手段が設けられており、該櫛手段が、上記ヘッド部に回動自在に取り付けられた遮蔽板と、該遮蔽板に設けられた上記櫛歯とを備えていて、該櫛手段が上記第１位置にあるとき上記遮蔽板が、後面壁の背後からスクレーパーのスリットを塞ぐ構成であることを特徴とする動物用ブラシ。
【発明の詳細な説明】
【０００１】
【産業上の利用分野】
本発明は動物用ブラシに関するものであり、さらに詳しくは、真空掃除機の吸引管に接続して、動物の毛並みを整えたり、抜け毛を除去するために使用する動物用ブラシに関するものである。
【０００２】
【従来の技術】
例えば実公平３−１０８４９号公報に開示されているように、犬や猫等の動物の抜け毛を除去したり、毛並みを整えたりするために、真空掃除機に接続して使用する動物用ブラシは従来より公知である。
【０００３】
この動物用ブラシは、図５及び図６に示すように、掃除機の吸気管に通ずる吸気用開口１４を備えたヘッド１３に、櫛歯１７ｂを備えた櫛本体１７を、櫛歯１７ｂが開口１４から突出する起立姿勢と通路１５に向かって倒れた倒伏姿勢との間で回転可能なるように櫛支軸１９で支持させると共に、スクレーパー１８を、起立姿勢にある上記櫛歯１７ｂの基部と倒伏姿勢にある櫛歯１７ｂの先端との間を往復移動可能なようにスクレーパー支軸で支持させたものである。
【０００４】
このブラシは、上記スクレーパー１８を櫛本体１７の基部に位置させることにより該櫛本体７を起立姿勢にして使用し、梳き取られた抜け毛を開口１４から吸引する。そして、櫛本体１７の櫛歯１７ｂに絡み付いた毛は、スクレーパー１８を櫛歯１７ｂの先端方向へ移動させて櫛本体１７を通路１５の方向へ倒伏姿勢とすることにより、上記スクレーパー１８で櫛歯１７ｂから押し出して通路１５から吸引する。
【０００５】
しかしながら、上記従来の動物用ブラシは、櫛本体１７とスクレーパー１８とが共に回転又は変移するようになっているため、構造が複雑であり、しかも、櫛歯１７ｂを倒伏姿勢にしたときスクレーパー１８が該櫛歯１７ｂの先端まで移動しないため、その先端に絡み付いている抜け毛がそのまま除去されないで残る場合があり、櫛歯１７ｂに付着した抜け毛の除去能力に問題があった。特に、動物の体に接触した櫛歯１７ｂには脂肪などが付着しているため、一旦抜け毛が付着すると落ちにくく、スクレーパー１８が届かない櫛歯先端部分に小さな抜け毛がこびり着いた場合、それを吸引力だけで除去することは非常に困難である。
また、上記櫛本体１７がヘッド１３の内部に取付けられていて、開口１４の位置でほぼ９０度回転するため、その分だけ開口１４が大きくなり、吸引力が低下して抜け毛を確実に吸い込むことができないという問題もあった。
【０００６】
【発明が解決しようとする課題】
本発明の主たる技術的課題は、櫛歯に絡み付いた抜け毛を確実に除去することができる簡単な構成の動物用ブラシを提供することにある。
【０００７】
本発明の他の技術的課題は、吸引力が大きく、梳いた毛を確実に吸い込むことができる動物用ブラシを提供することにある。
【０００８】
【課題を解決するための手段】
上記課題を解決するため、本発明の動物用ブラシは、真空掃除機の吸引管に接続するための継手管部と、該継手管部の先端に設けられた吸入用ヘッド部とを有し、上記ヘッド部が、毛を梳くための複数の櫛歯を備えた櫛手段と、梳き取った毛を吸い取るための吸込口と、櫛歯に付着した毛を掻き取るための、各櫛歯が挿通するスリットを有するスクレーパーとを備えていて、該スクレーパーが上記吸込口に近接する位置に固定的に設けられ、上記櫛手段が、各櫛歯がスリット内に挿入されて該櫛歯の先端が上記吸込口から突出する第１位置と、各櫛歯がスリット内を後退して該スリットから外れる第２位置との間を回動自在であると共に、上記第１位置において該櫛手段が上記スリットを塞ぐことにより上記吸込口からの吸引力の低下を防止するように構成されていることを特徴とするものである。
【０００９】
上記構成の動物用ブラシは、継手管部を真空掃除機の吸引管に接続し、吸引用ヘッド部を犬や猫等の動物にあてがいながら、第１位置に位置させた櫛手段の櫛歯により毛を梳く。
上記櫛手段で梳き取られた抜け毛は、ヘッド部の吸込口から真空掃除機に吸い取られる。また、櫛手段の櫛歯に絡み付いた毛は、該櫛手段を第２位置に回動させることによりスクレーパーで掻き取られ、真空掃除機に吸い込まれる。このとき櫛歯は、その先端がスクレーパーのスリットから外れる第２位置まで変移するため、該櫛歯の先端に付着している抜け毛も確実に上記スクレーパーで掻き取られ、付着したまま残るようなことがない。
【００１０】
また、スクレーパーがヘッド部に固定的に設けられ、櫛手段だけが回動するようになっているため、スクレーパーと櫛手段とが両方回動又は変移する従来品に比べて構成が簡単である。
【００１１】
本発明において好ましくは、上記ヘッド部が、上記櫛手段を第２位置方向に付勢する付勢手段と、第１位置に係止させる係脱自在の係止手段とを備えていることである。
【００１２】
本発明の具体的な実施態様によれば、上記ヘッド部が、内部に継手管部に通じる中空部を有するボックス状をしていて、該ヘッド部の前面壁に上記吸込口が設けられると共に、後面壁における該吸込口と対応する位置に上記スクレーパーが設けられ、且つ該後面壁の背後に上記櫛手段が設けられており、該櫛手段が、上記ヘッド部に回動自在に取り付けられた遮蔽板と、該遮蔽板に設けられた上記櫛歯とを備えていて、該櫛手段が上記第１位置にあるとき上記遮蔽板が、後面壁の背後からスクレーパーのスリットを塞ぐように構成されている。
【００１３】
【発明の実施の形態】
図１ないし図３は、本発明に係る動物用ブラシの一実施例を示すもので、この動物用ブラシは、真空掃除機の吸引管に接続するための円筒状の継手管部２と、該継手管部２の先端に設けられた吸入用ヘッド部１とを一体に有している。
【００１４】
上記ヘッド部１は、内部に上記継手管部２に通じる中空部６を有する扁平で矩形状のボックス形をしていて、毛を梳くための金属製の櫛歯３ａを複数本備えた櫛手段３と、梳き取った毛を吸い取るための吸込口４と、櫛歯３ａに付着した毛を掻き取るためのスクレーパー５とをそれぞれ備えている。
【００１５】
上記吸込口４は、ヘッド部１の前面壁１ａに横長状態に形成されており、一方スクレーパー５は、ヘッド部１の後面壁１ｂに上記吸込口４と対応するように固定的に形成されている。このスクレーパー５は、各櫛歯３ａが個別に挿通可能な複数の縦長のスリット５ａを有し、このスリット５ａで各櫛歯３ａに付着した抜け毛を掻き取るものである。従ってこのスリット５ａは、櫛歯３ａに付着した毛を掻き取ることができる、しかも櫛歯３ａの移動の妨げにならない大きさを有するものである。
【００１６】
上記櫛手段３は、ヘッド部１における後面壁１ｂの外側に設けられている。この櫛手段３は、ヘッド部１の先端の取付部１ｃに一端が軸７で回動自在に取り付けられた遮蔽板３ｂを有し、該遮蔽板３ｂに上記櫛歯３ａを幅方向に一定間隔で取付けたもので、該遮蔽板３ｂを上記軸７を中心に回動させることにより、各櫛歯３ａがスクレーパー５のスリット５ａに基端部まで挿入して先端が吸込口４から突出する第１位置（図３）と、各櫛歯３ａが吸込口４内に後退してスリット５ａからも外れる第２位置（図４）との間を変移するようになっている。上記第１位置は、動物の抜け毛を梳き取ったり毛並みを揃えたりするための使用位置であり、第２位置は、櫛歯３ａに付着した毛を除去するための非使用位置である。
【００１７】
また、上記遮蔽板３ｂは、櫛手段３が第１位置にあるときスリット５ａを裏面側から塞ぐようになっていて、該スリット５ａの存在によって吸込口４からの吸引力が低下するのを防ぐ機能をも果している。
【００１８】
上記ヘッド部１の取付部１ｃと遮蔽板３ｂの基端部との間には、該遮蔽板３ｂを第２位置に向けて付勢する付勢手段としてのばね１０が設けられ、遮蔽板３ｂの先端部とヘッド部１の後面壁１ｂとの間には、該遮蔽板３ｂを第１位置に係止させるための、相互に係脱自在の一対のフック８ａ，８ｂからなる係止手段８が設けられている。後面壁１ｂ上のフック８ｂは、該後面壁１ｂに沿って移動自在の操作子９と一体に設けられ、ばねで相手方のフック８ａが係止可能な係止位置に前進させられており、この操作子９を後退させることによって上記フック８ａとの係止を解除することができるようになっている。
【００１９】
上記構成を有する動物用ブラシは、継手管部２を真空掃除機の吸引管に接続すると共に、櫛手段３を櫛歯３ａが吸込口４から突出する図３の第１位置に係止させ、継手管部２を握ってヘッド部１の前面を犬や猫等の対象動物に押し付けながら、上記櫛歯３ａでその毛を梳くようにする。
【００２０】
このとき上記櫛歯３ａで梳き取られた抜け毛は、ヘッド部１の吸込口４から真空掃除機に吸い取られるが、上記遮蔽板３ｂがスクレーパー５のスリット５ａを塞いでいるため、該スリット５ａの存在によって吸込口４の吸引力が低下することがない。
【００２１】
また、上記櫛歯３ａに絡み付いた毛は、図４に示すように、操作子９を後退させてフック８ａ，８ｂの係止を解除させ、該櫛歯３ａをスクレーパー５から後方に抜け出す第２位置に回動させることにより該スクレーパー５で掻き取られ、真空掃除機に吸い込まれる。このとき櫛歯３ａは、その先端がスクレーパー５のスリット５ａから完全に外れる位置まで変移するため、該櫛歯３ａの先端に付着している抜け毛も確実に上記スクレーパー５で掻き取られて吸い取られ、櫛歯３ａに付着したまま残るようなことがない。しかも、上記櫛歯３ａを第２位置へ変移させる操作を、上記操作子９によりワンタッチで行うことができるため、操作が簡単で取扱いが容易である。
【００２２】
また、上記スクレーパー５がヘッド部１に固定的に設けられ、櫛手段３だけが回動するようになっているため、スクレーパー５と櫛手３段とが両方回動又は変移する従来品に比べて構成が簡単である。
【００２３】
更に、遮蔽板３ｂをヘッド部１の先端に軸７により回動自在に取付け、この遮蔽板３ｂに櫛歯３ａを取付けることにより、該遮蔽板３ｂの回動により櫛歯３ａがスクレーパー５及び吸込口４を貫通して前後動するようにしたので、前述した従来例のように吸込口を大きくする必要がなく、従って吸引力の低下を来すことがない。
【００２４】
【発明の効果】
以上に詳述したように、本発明の動物用ブラシによれば、櫛歯に付着した抜け毛をスクレーパーで掻き取って除去する場合に、該櫛歯をその先端がスクレーパーから外れる位置まで変移させるようにしているため、該櫛歯の先端に付着している抜け毛も確実に上記スクレーパーで掻き取って吸引することができ、付着したまま残るようなことがない。
また、スクレーパーをヘッド部に固定的に設け、櫛手段だけを回動させるようにしたので、スクレーパーと櫛手段とを両方回動又は変移させるようにした従来品に比べ、構成が簡単で製造も容易である。
【図面の簡単な説明】
【図１】本発明に係る動物用ブラシの一実施例を示す斜視図である。
【図２】図１の平面図である。
【図３】図１の要部側断面図である。
【図４】図３において櫛手段を第２位置に回動させた状態を示す図である。
【図５】従来の動物用ブラシを示す斜視図である。
【図６】図５の側断面図である。
【符号の説明】
１  ヘッド部                        １ａ  前面壁
１ｂ  後面壁                        ２  継手管部
３  櫛手段                          ３ａ  櫛歯
３ｂ  遮蔽板                        ４  吸込口
５  スクレーパー                    ５ａ  スリット
６  中空部                          １０  付勢手段
【図１】
0003894632.tif 000002
【図２】
0003894632.tif 000003
【図３】
0003894632.tif 000004
【図４】
0003894632.tif 000005
【図５】
0003894632.tif 000006
【図６】
0003894632.tif 000007